(57)【要約】【課題】  光記録媒体のユーザデータ領域のうち、データの記録された記録領域を正確に検出することができる光記録／再生装置の記録領域検出装置を提供すること。【解決手段】  記録媒体のユーザデータ領域で読み取ったＲＦ信号を基準信号と比べて整流されたパルス信号を出力する波形整流部と、前記整流されたパルス信号のうち高周波信号が規則的に分布された区間を含むパルス幅を有する信号を発生するパルス発生部と、前記パルス発生部が発生した信号をラッチするラッチ部と、前記ラッチ部の出力信号と前記パルス発生部からの出力信号を用いて前記高周波信号が規則的に分布された区間を検出する検出部とを含んで構成されることを特徴とする光記録／再生装置の記録領域検出装置を前記課題の解決手段とする。【選択図】      図２
2004227763.tif 000002
【特許請求の範囲】
【請求項１】
記録媒体のユーザデータ領域で読み取ったＲＦ信号を基準信号と比較して、整流されたパルス信号を出力する波形整流部と、
前記整流されたパルス信号に基づいてパルス信号を発生するパルス発生部と、
前記パルス信号をラッチするラッチ部と、
前記ラッチ部の出力信号と前記パルス信号とを用いて前記記録媒体の記録領域を検出する検出部とを含んで構成されること、
を特徴とする光記録／再生装置の記録領域検出装置。
【請求項２】
記録媒体のユーザデータ領域で読み取ったＲＦ信号を基準信号と比べて整流されたパルス信号を出力する波形整流部と、
前記整流されたパルス信号に基づいて第１パルス信号及び第２パルス信号を発生するパルス発生部と、
前記第１パルス信号に基づいて前記第２パルス信号をラッチするラッチ部と、
前記ラッチ部の出力信号と前記第２パルス信号とを用いて前記記録媒体の記録領域を検出する検出部とを含んで構成されること、
を特徴とする光記録／再生装置の記録領域検出装置。
【請求項３】
前記整流されたパルス信号を一定に分周して前記第１パルス信号を発生する第１信号発生部と、
前記第１パルス信号に同期させて設定されたクロック周期の間で、パルス幅を延長させた第２パルス信号を生成する第２信号発生部とを含んで構成されること、
を特徴とする請求項２に記載の光記録／再生装置の記録領域検出装置。
【請求項４】
前記光記録/再生装置の動作状態に応じて前記第１信号発生部及び第２信号発生部を制御するシステム制御部をさらに含んで構成されること、
を特徴とする請求項３に記載の光記録／再生装置の記録領域検出装置。
【請求項５】
前記ラッチ部は、Ｄフリップ・フロップであること、
を特徴とする請求項２に記載の光記録／再生装置の記録領域検出装置。
【請求項６】
前記検出部は、ＡＮＤゲートであること、
を特徴とする請求項２に記載の光記録／再生装置の記録領域検出装置。
【請求項７】
前記第１信号発生部は周波数分周器であり、前記第２信号発生部は計数器であること、
を特徴とする請求項３に記載の光記録／再生装置の記録領域検出装置。
【請求項８】
記録媒体のユーザデータ領域で読み取ったＲＦ信号を基準信号と比べて整流されたパルス信号を出力するステップと、
前記整流されたパルス信号に基づいてパルス信号を発生するステップ、
前記パルス信号をラッチするステップと、
ラッチされた出力信号と前記パルス信号を用いて前記記録媒体の記録領域を検出するステップとを含むこと、
を特徴とする光記録／再生装置の記録領域検出方法。
【請求項９】
記録媒体のユーザデータ領域で読み取ったＲＦ信号を基準信号と比較して、整流されたパルス信号を出力するステップと、
前記整流されたパルス信号に基づいて第１パルス信号及び第２パルス信号を発生するパルス発生ステップと、
前記第１パルス信号に基づいて前記第２パルス信号をラッチするラッチステップ、
ラッチされた出力信号と前記第２パルス信号とを用いて前記記録媒体の記録領域を検出する検出ステップとを含むこと、
を特徴とする光記録／再生装置の記録領域検出方法。
【請求項１０】
前記パルス発生ステップは、
前記整流されたパルス信号を一定に分周して前記第１パルス信号を発生するステップ、
前記第１パルス信号に同期させて設定したクロック周期の間で、パルス幅を延長させた第２パルス信号を発生するステップを含むこと、
を特徴とする請求項９に記載の光記録／再生装置の記録領域検出方法。
【請求項１１】
前記第１パルス信号及び前記第２パルス信号の発生を制御するステップをさらに含むこと、
を特徴とする請求項１０に記載の光記録／再生装置の記録領域検出方法。
【請求項１２】
前記ラッチステップは、Ｄフリップ・フロップによりラッチされること、
を特徴とする請求項９に記載の光記録／再生装置の記録領域検出方法。
【請求項１３】
前記検出ステップは、ＡＮＤゲートにより前記ラッチステップの出力信号と前記パルス発生ステップの出力信号とで論理積演算を実行すること、
を特徴とする請求項９に記載の光記録／再生装置の記録領域検出方法。
【請求項１４】
前記パルス発生ステップは、周波数分周器により前記第１パルス信号を発生し、計数器により前記第２パルス信号を発生すること、
を特徴とする請求項１０に記載の光記録／再生装置の記録領域検出方法。
【発明の詳細な説明】
【技術分野】
【０００１】
本発明は、光記録／再生装置に関し、特に光記録媒体にデータを記録又は記録されたデータを再生する際に、記録領域を検出する記録領域検出装置およびその検出方法に関する。
【背景技術】
【０００２】
一般的に、繰返して書き換え可能な光記録媒体としては、例えば、再記録の可能なコンパクトディスク（Ｒｅｗｒｉｔａｂｌｅ  Ｃｏｍｐａｃｔ  Ｄｉｓｃ；ＣＤ-ＲＷ）と、再記録の可能なデジタル多機能ディスク（Ｒｅｗｒｉｔａｂｌｅ  Ｄｉｇｉｔａｌ  Ｖｅｒｓａｔｉｌｅ  Ｄｉｓｃ；ＤＶＤ-ＲＷ、ＤＶＤ-ＲＡＭ、ＤＶＤ＋ＲＷ）が挙げられる。
【０００３】
このような光記録媒体は、図１に示した概念図のように、情報データが格納されるヘッダ領域とユーザデータが格納されるユーザデータ領域とに区分できる。さらに、ユーザデータ領域（Ｌａｎｄ／Ｇｒｏｏｖｅ  ｔｒａｃｋ）は、データが記録される記録領域とデータが記録されない未記録領域とに区分される。
【０００４】
ヘッダ領域は、光記録媒体のセクタの予め決められた領域に配置されている。光記録／再生装置の光ピックアップ装置（図示せず）は、ヘッダ領域に記録された情報により、セクタ番号、セクタのタイプ、ユーザデータ領域などを認識することができる。
このように、ヘッダ領域の情報からユーザデータ領域を認識することはできるが、このユーザデータ領域のうち、データが記録された記録領域を正確に検出するためには記録領域検出装置が必要となる。
【０００５】
ユーザデータ領域のうち、記録領域を検出する理由は、データが記録されていない未記録領域と分離することで、記録領域から読み取った再生信号のみを処理するためである。すなわち、未記録領域のノイズ成分を再生信号として判断することを防止するために、正確な記録領域の検出が要求される。
【発明の開示】
【発明が解決しようとする課題】
【０００６】
本発明は前記した問題点を解決するためになされたものであり、本発明の目的は、光記録媒体のユーザデータ領域のうち、データの記録された記録領域を正確に検出することができる光記録／再生装置の記録領域検出装置およびその検出方法を提供することである。
【課題を解決するための手段】
【０００７】
前記した目的を達成するために、本発明に係る光記録／再生装置の記録領域検出装置は、記録媒体のユーザデータ領域で読み取ったＲＦ信号を基準信号と比べて整流されたパルス信号を出力する波形整流部と、前記整流されたパルス信号のうち高周波信号が規則的に分布された区間を含むパルス幅を有する信号を発生するパルス発生部と、前記パルス発生部が発生した信号をラッチするラッチ部と、前記ラッチ部の出力信号と前記パルス発生部からの出力信号を用いて前記高周波信号が規則的に分布された区間を検出する検出部とを含んで構成されることを特徴とする。
【０００８】
また、前記パルス発生部は、前記整流されたパルス信号を一定に分周させた第１パルス信号を発生する第１信号発生部と、前記分周された信号に同期させて設定されたクロック周期の間にパルス幅の延びた第２パルス信号を発生する第２信号発生部とを有し、前記ラッチ部は、前記第１パルス信号に基づいて前記第２パルス信号をラッチすることが好ましい。
【０００９】
また、前記光記録／再生装置の動作状態に応じて前記第１信号発生部および第２信号発生部を制御するシステム制御部を有することが好ましい。
【００１０】
さらに、本発明に係る光記録／再生装置の記録領域検出方法は、記録媒体のユーザデータ領域で読み取ったＲＦ信号を基準信号と比べて整流されたパルス信号を出力するステップと、前記整流されたパルス信号のうち高周波信号が規則的に分布した区間を含むパルス幅を有する信号を発生するパルス発生ステップと、前記パルス発生ステップで発生された信号をラッチするラッチステップと、前記ラッチステップで出力された信号と前記パルス発生ステップで出力された信号とを用いて前記高周波信号が規則的に分布した区間を検出する検出ステップとを含むことを特徴としている。
【００１１】
また、前記パルス発生ステップは、前記整流されたパルス信号を一定に分周させ第１パルス信号を発生する第１信号発生ステップと、前記分周された信号に同期させて設定されたクロック周期の間で、パルス幅を延長させた第２パルス信号を発生する第２信号発生ステップを有し、前記ラッチステップは前記第１パルス信号に基づいて前記第２パルス信号をラッチする。
【００１２】
従って、システム制御部により光記録媒体の種類および速度に応じて第１信号発生部および第２信号発生部を制御し、記録領域を含むパルス幅を有する信号を出力し、これにより正確な記録領域を検出することができる。
【発明の効果】
【００１３】
本発明によれば、パルス発生部により記録領域を含む所定のパルスを有する信号を発生した後、Ｄフリップ・フロップの動作特性を用いて正確に記録領域を検出することができる。
【００１４】
さらに、システム制御部により光記録媒体の種類および速度に応じて組合わされた周波数分周器および計数器により、記録領域を含む所定のパルスを有する信号を出力した後、Ｄフリップ・フロップの動作特性を用いて正確に記録領域を検出することができる。
【発明を実施するための最良の形態】
【００１５】
以下、添付した図面を参照して本発明の好適な実施の形態を詳細に説明する。
【００１６】
一般に光記録／再生装置は、プッシュ・プル方式を用いて光記録媒体に記録されたデータを再生する。プッシュ・プル方式により光記録媒体から読み取られたＲＦプッシュ・プル信号は図２に示した本実施例に係る記録領域検出装置１００に入力される。
【００１７】
図２に示した記録領域検出装置１００は、波形整流部１１０と、パルス発生部１３０と、ラッチ部１５０および検出部１７０とを含んで構成される。
【００１８】
波形整流部１１０は、入力されるＲＦプッシュ・プル信号を基準信号（ＲＥＦ）と比較して所定の整流されたパルス信号を出力する。
【００１９】
パルス発生部１３０は、波形整流部１１０から出力された整流されたパルス信号のうち、再生信号に対応する信号を含んだパルス信号を発生する。パルス発生部１３０は、図３に示すように、第１信号発生部１３１および第２信号発生部１３３を含んで構成される。第１信号発生部１３１は、入力信号のパルスを一定に分周させた第１パルス信号を出力し、第２信号発生部１３３は、第１信号発生部１３１から出力される第１パルス信号の波形のエッジに同期させて設定されたクロック周期（Ｔ）の間で、パルス幅が延長された第２パルス信号を出力する。ここで、図３はパルス発生部１３０の詳細ブロック図である
【００２０】
第１信号発生部１３１および第２信号発生部１３３は、光記録／再生装置１０の種類および動作速度に応じてシステム制御部１３８により制御される。
【００２１】
ラッチ部１５０は、第１信号発生部１３１が発生した第１パルス信号に基づいて第２信号発生部１３３が発生した第２パルス信号をラッチして出力する。
【００２２】
検出部１７０は、ラッチ部１５０からの出力信号とパルス発生部１３０からの出力信号とを用いて記録領域に対応する検出信号を出力する。
【００２３】
図４は、本実施例に係る光記録／再生装置の記録領域検出装置の構成要素を示した好ましい一実施形態の回路ブロック図である。
【００２４】
記録領域検出装置２００は、比較器２１０と、第１周波数分周器２３１、第１計数器２３３、第１Ｄフリップ・フロップ２３５および第１ＡＮＤゲート２３７を有する第１経路２３０と、第２周波数分周器２４１、第２計数器２４３、第２Ｄフリップ・フロップ２４５および第２ＡＮＤゲート２４７を有する第２経路２４０と、マルチプレクサ２５０とを有する。図４に示した記録領域検出装置は、光記録/再生装置２０の種類および動作速度などに応じたマルチパスを有する場合を例に挙げた図である。
【００２５】
図４に示すように、第１経路２３０および第２経路２４０の構成は同一であるため、図５に示したタイミング波形図および図６に示したフローチャートを参照して、第１経路２３０を介して記録領域が検出される過程について詳細に説明する
【００２６】
比較器２１０は、入力されるＲＦプッシュ・プル信号を基準信号（ＲＥＦ）と比較して、基準信号（ＲＥＦ）以上であれば「ハイ」信号を、基準信号（ＲＥＦ）以下であれば「ロー」信号を出力して、図５（ａ）に示すように整流されたパルス信号を出力する（ステップＳ６１１）。
図５（ａ）に示した波形図を参照して、ユーザデータ領域のうち、規則的な高周波信号は、符号Ａで示した記録領域に記録されたデータに対応して読み取られた信号である。一方、不規則的な低周波信号および高周波信号は、符号Ｂで示した未記録領域のノイズに対応して読み取られた信号である。よって、記録領域検出装置２００によって最終的に出力される信号は、符号Ａで示した記録領域に対応する信号が検出されたものとなる。この検出過程について詳しく説明する。
【００２７】
第１周波数分周器２３１は、比較器２１０から出力される整流されたパルス信号を１／２分周して図５（ｂ）に示した第１パルス信号を出力する。つまり、第１周波数分周器２３１の出力信号（図５（ｂ））は、比較器２１０の出力信号（図５（ａ））の２周期につき１周期の信号として出力される（ステップＳ６１３）。
【００２８】
第１計数器２３３は、図５（ｂ）に示した１／２分周された信号に同期して、主クロックに応じた所定の値により、１／２分周された信号のエッジの立ち上がり部分をカウントする。すなわち、第１計数器２３３は、１／２分周された信号のエッジの立ち上がり部分に、所定の値として、クロック周期（Ｔ１）の長さだけパルス幅が延長された第２パルス信号を出力する。この際、第１計数器２３３に入力される値は、光記録/再生装置の種類および動作速度に応じて、システム制御部２３８により第１周波数分周器の値と組合せた値である。例えば、光記録媒体がＣＤであり動作速度が２倍速である場合には、システム制御部２３８は、第１周波数分周器２３１および第１計数器２３３を組み合わせて第１周波数分周器２３１と第１計数器２３３とが最適な状態になるように制御する。つまり、第１周波数分周器２３１は１／２周期分周器であり、第１計数器２３３の値はクロック周期（Ｔ１）＝１/（ＭＣＬＫ/２５６/１６）に応じて設定される。（なお、ＭＣＬＫはメインクロックである）
従って、第１計数器２３３の出力信号は、図５（ｃ）に示すように、符号Ａで示した記録領域を含むパルス幅を有する第２パルス信号が出力される（ステップＳ６１５）。
このように出力された第１パルス信号（図５（ｂ））および第２パルス信号（図５（ｃ））は、第１Ｄフリップ・フロップ２３５のクロック端子（ＣＫ）および入力端子（Ｄ）に入力される。
【００２９】
一般的なＤフリップ・フロップの動作特性に応じて、クロック端子（ＣＫ）に「ハイ」信号が入力されると、入力端子（Ｄ）に入力される信号を出力端子（Ｑ）に出力し、クロック端子（ＣＫ）に「ロー」信号が入力されると、以前に入力端子（Ｄ）に入力された信号を出力端子（Ｑ）に出力する。すなわち、Ｄフリップ・フロップは、クロック端子（ＣＫ）に入力される信号に基づいて入力端子（Ｄ）に入力される信号をラッチする。
【００３０】
従って、第１Ｄフリップ・フロップ２３５は、図５（ｄ）に示すように、クロック端子（ＣＫ）に入力される第１パルス信号（図５（ｂ））に基づいて、入力端子（Ｄ）に入力される第２パルス信号（図５（ｃ））をラッチして出力する（ステップＳ６１７）。
【００３１】
その後、第１ＡＮＤゲート２３７は、第１パルス信号（図５（ｃ））とラッチされた信号（図５（ｄ））に論理積演算を実行し、図５（ｅ）に示すように、全ての信号が「ハイ」の状態の時のみ、「ハイ」である信号を出力する。よって、図５（ａ）ないし（ｂ）の波形図で示したように、符号Ａで示した記録領域に対応したパルス信号を発生する信号を出力する（ステップＳ６１９）。
【００３２】
なお、例えば、記録媒体がＤＶＤであり、動作速度が等倍速である場合、システム制御部２３８は、第１信号発生部と第２信号発生部との最適の状態を判断して４分周およびＴ２＝１（ＭＣＬＫ/４０９６/６）になるよう設定する。従って、第２経路２４０を介して記録領域を検出する。
【００３３】
つまり、第２経路２４０の第２周波数分周器２４１により第１パルス信号は４分周され、Ｔ２＝１/（ＭＣＬＫ/４０９６/１６）に応じて設定された値を有する、第２計数器２４３により設定されたクロック周期（Ｔ２）にパルス幅が延長された第２パルス信号として出力する。その後、第２Ｄフリップ・フロップ２４５および第２ＡＮＤゲート２４７を介して記録領域が検出される過程は前記した過程と同様に行われる。
【００３４】
このように、第２経路２４０により記録領域が検出された信号は、マルチプレクサ２５０で選択され出力される。よって、光記録/再生装置のシステム制御部２３８は種類および動作速度に応じて最適な経路を選択し、また、計数器の値を設定する。
従って、ユーザデータ領域のうちデータが記録された記録領域を正確に検出できる。
【００３５】
以上、本発明の好適な実施例を通して、本発明を詳細に説明したが、本発明の属する技術分野において通常の知識を有する者であれば、前記した実施例に基づいて本発明から逸脱しない範囲で多様な変形例も実施可能である。
従って、本発明の権利範囲は、前記した実施例に限定されるのではなく、特許請求の範囲に記載された技術的思想により定められる。
【産業上の利用可能性】
【００３６】
光記録媒体のユーザデータ領域のうちデータが記録された記録領域を正確に検出することができる光記録／再生装置に適用できる。
【図面の簡単な説明】
【００３７】
【図１】光記録媒体において分離される領域の概念図である。
【図２】本発明の実施例に係る光記録／再生装置の記録領域検出装置のブロック図である。
【図３】図２に示した記録領域検出装置のパルス発生部の詳細ブロック図である。
【図４】図２に示した記録領域検出装置の一実施形態を示した回路ブロック図である。
【図５】図４に示した記録領域検出装置の動作を説明するためのタイミング波形図である。
【図６】図４に示した記録領域検出装置を用いた記録領域検出方法のフローチャートである。
【符号の説明】
【００３８】
２１０  比較器
２３１  第１周波数分周器
２３３  第１計数器
２３５  第１Ｄフリップ・フロップ
２３７  第１ＡＮＤゲート
２４１  第２周波数分周器
２４３  第２計数器
２４５  第２Ｄフリップ・フロップ
２４７  第２ＡＮＤゲート
２５０  マルチプレクサ
【図１】
2004227763.tif 000003
【図２】
2004227763.tif 000004
【図３】
2004227763.tif 000005
【図４】
2004227763.tif 000006
【図５】
2004227763.tif 000007
【図６】
2004227763.tif 000008